(57)【要約】【課題】処方箋の管理及び、高額レセプトを当該処方箋のコピーと共に提出する際の作業を容易に且つ簡便にすることを課題とする。【解決手段】患者毎の処方箋に基づくレセプトデータと、前記処方箋の画像データとを、患者を識別するための識別データに関連付けて記憶する記憶手段を有するコンピュータを備え、該コンピュータは、識別データの入力による問い合わせに応じて、前記記憶手段に記憶されているレセプトデータのうち、前記入力された識別データに関連付けられているレセプトデータを検索し、前記記憶手段に記憶されている処方箋の画像データのうち、前記入力された識別データに関連付けられている処方箋の画像データを検索し、検索したレセプトデータと処方箋の画像データとを出力することを特徴とする。【選択図】図１
2008287737.tif 000002
【特許請求の範囲】
【請求項１】
患者毎の処方箋に基づくレセプトデータと、前記処方箋の画像データとを、患者を識別するための識別データに関連付けて記憶する記憶手段を有するコンピュータを備え、
該コンピュータは、
識別データの入力による問い合わせに応じて、前記記憶手段に記憶されているレセプトデータのうち、前記入力された識別データに関連付けられているレセプトデータを検索し、前記記憶手段に記憶されている処方箋の画像データのうち、前記入力された識別データに関連付けられている処方箋の画像データを検索し、検索したレセプトデータと処方箋の画像データとを出力することを特徴とする処方箋及びレセプトデータ処理システム。
【請求項２】
前記レセプトデータをレセプト請求票として出力することができ、前記処方箋の画像データを処方箋のコピーとして出力することができる出力手段が前記コンピュータに接続されており、
前記コンピュータは、前記検索したレセプトデータと処方箋の画像データとを連続して出力し、該連続して出力したレセプトデータと処方箋の画像データとを、レセプト請求票および該レセプト請求票に対応した処方箋のコピーとして、前記出力手段から連続して出力することを特徴とする請求項１に記載の処方箋及びレセプトデータ処理システム。
【請求項３】
前記レセプトデータをレセプト請求票として出力することができるレセプト用出力手段と、前記処方箋の画像データを処方箋のコピーとして出力することができる処方箋用出力手段と、前記レセプト用出力手段から出力されたレセプト請求票および前記処方箋用出力手段から出力された処方箋のコピーを保持することができる用紙保持台を複数備える用紙並べ替え手段とが前記コンピュータに接続されており、
前記コンピュータは、前記出力したレセプトデータをレセプト請求票として前記レセプト用出力手段から出力し、前記出力した処方箋の画像データを前記レセプト請求票に対応した処方箋のコピーとして前記処方箋用出力手段から出力し、前記用紙並べ替え手段を制御することによって、当該出力したレセプト請求票と処方箋のコピーとを、一患者に関するレセプト請求票および処方箋のコピーとして１つの前記用紙保持台に保持することを特徴とする請求項１に記載の処方箋及びレセプトデータ処理システム。
【発明の詳細な説明】
【技術分野】
【０００１】
本発明は、処方箋及びレセプトデータ処理システムに関する。
【背景技術】
【０００２】
一般に、調剤薬局では、月に一度、保険基金に対して診療報酬明細票、いわゆるレセプト、を請求している。この診療報酬請求に際して、２０００点を超える患者の診療報酬明細票、いわゆる高額レセプトを保険基金に提出するときには、レセプトをプリンタ等により出力した後、前記レセプトに該当する処方箋のコピーを貼付して提出している。
【０００３】
処方箋については３年間保存することが義務づけられており、一般的には３ヶ月分程度の処方箋を手元に保存し、それよりも古いものを倉庫等にて管理している。
【発明の開示】
【発明が解決しようとする課題】
【０００４】
しかし、上述の如く倉庫等により処方箋を管理すると、処方箋の枚数によっては場所を確保することが困難であったり、３ヶ月分よりも古いものが必要となった場合等には、容易に取り出すことが出来ない。
【０００５】
また、従来は、処方箋のデータはファイリングされている一方、処方箋のデータと処方箋とは別に管理されているため、高額レセプトの請求時に、レセプト請求票と処方箋のコピーとを併せて提出することは、薬剤師等の人の手に頼ることになり、時間がかかるという問題がある。
【０００６】
本発明は、上述の如き問題を解決するためになされたもので、処方箋の管理及び、高額レセプトを当該処方箋のコピーと共に提出する際の作業を容易に且つ簡便にすることを課題とする。
【課題を解決するための手段】
【０００７】
上記課題を解決するためになされた本発明に係る処方箋及びレセプトデータ処理システムは、患者毎の処方箋に基づくレセプトデータと、前記処方箋の画像データとを、患者を識別するための識別データに関連付けて記憶する記憶手段を有するコンピュータを備え、該コンピュータは、識別データの入力による問い合わせに応じて、前記記憶手段に記憶されているレセプトデータのうち、前記入力された識別データに関連付けられているレセプトデータを検索し、前記記憶手段に記憶されている処方箋の画像データのうち、前記入力された識別データに関連付けられている処方箋の画像データを検索し、検索したレセプトデータと処方箋の画像データとを出力することを特徴とする。
【０００８】
特に、前記レセプトデータをレセプト請求票として出力することができ、前記処方箋の画像データを処方箋のコピーとして出力することができる出力手段が前記コンピュータに接続されており、前記コンピュータは、前記検索したレセプトデータと処方箋の画像データとを連続して出力し、該連続して出力したレセプトデータと処方箋の画像データとを、レセプト請求票および該レセプト請求票に対応した処方箋のコピーとして、前記出力手段から連続して出力することが好ましい。
【０００９】
また、前記レセプトデータをレセプト請求票として出力することができるレセプト用出力手段と、前記処方箋の画像データを処方箋のコピーとして出力することができる処方箋用出力手段と、前記レセプト用出力手段から出力されたレセプト請求票および前記処方箋用出力手段から出力された処方箋のコピーを保持することができる用紙保持台を複数備える用紙並べ替え手段とが前記コンピュータに接続されており、前記コンピュータは、前記出力したレセプトデータをレセプト請求票として前記レセプト用出力手段から出力し、前記出力した処方箋の画像データを前記レセプト請求票に対応した処方箋のコピーとして前記処方箋用出力手段から出力し、前記用紙並べ替え手段を制御することによって、当該出力したレセプト請求票と処方箋のコピーとを、一患者に関するレセプト請求票および処方箋のコピーとして１つの前記用紙保持台に保持することが好ましい。
【発明の効果】
【００１０】
本発明によれば、レセプトデータと処方箋の画像データの出力を連続して行うことができるので、レセプトデータが高額レセプトデータである場合に容易に且つ確実に処方箋の画像データを添付して提出することができる。従って、時間の短縮と、作業者等の省力化を図ることができる。
【発明を実施するための最良の形態】
【００１１】
以下、本発明の一実施形態について図面に基づいて説明する。図１は本発明に係る処方箋ファイリングシステムの一実施形態を示す概略説明図である。
【００１２】
図１において、１は患者の氏名、患者ＩＤ、調剤日、保険種別等の患者に関する患者データ、患者と調剤日とが関連づけられて識別コードとしての役割を果たす受付番号のデータ、及び処方箋に記載されている薬剤の名称、数量等の処方箋の内容を示す処方箋のデータ等を入力することができ、調剤薬局等に設置されるコンピュータを示す。該コンピュータ１は、コンピュータ１と近接して設けられたスキャナー２と接続されている。
【００１３】
また、コンピュータ１は、ホストコンピュータ３と、電話回線等の通信回線５を介して接続されており、コンピュータ１で登録したデータはホストコンピュータ３へ送信され、該ホストコンピュータ３内の記憶手段としてのハードディスクにデータベースとして記憶することができるように構成されている。尚、ホストコンピュータ３は、処方箋のデータを入力するとレセプトデータを作成することができるプログラムを記憶しており、該プログラムに基づいて、処方箋のデータからレセプトデータを算出する算出手段を有するレセプトコンピュータとしての役割を果たしている。
【００１４】
次に、ホストコンピュータ３は、ケーブル等を介して出力手段としてのプリンタ４に接続されており、ホストコンピュータ３からの指示に基づく処方箋の画像データやレセプトデータ等のデータがプリンタ４から出力され、上述のコンピュータ１、ホストコンピュータ３、プリンタ４及び通信回線５より、処方箋及びレセプトデータ処理システムが構成される。
【００１５】
上述のように構成される処方箋及びレセプトデータ処理システムは、次のように使用される。まず、調剤薬局においては、患者データや処方箋の内容を示す処方箋のデータを入力した後、スキャナー２から処方箋を読み込み、処方箋の画像データとしてコンピュータ１へ登録する。その際、処方箋データ、処方箋の画像データ及び患者データは、識別コードとしての受付番号を介して連結されている。
【００１６】
このようにコンピュータ１に入力されたデータは、通信回線５を介してホストコンピュータ３へ送信され、該ホストコンピュータ３内のハードディスクに、患者データと受付番号のデータと処方箋データとを連結したデータベースの形式で記憶される、即ちホストコンピュータ３内にファイリングされる。
【００１７】
そして、月に一度、レセプトの請求票を提出する際には、患者毎に１ヶ月分の処方箋データ等からホストコンピュータ３でレセプトの点数を示すレセプトデータが算出され、上述の患者データと受付番号のデータと処方箋データとに連結されて記憶される（図２の工程Ｓ１参照）。
【００１８】
そして、上述のようにホストコンピュータ３に入力されたデータは、次のように出力される。まず、コンピュータ１へ識別データとしての受付番号や、患者名等を入力し、ある患者に対してのレセプトデータを出力すべくホストコンピュータ３に問い合わせると、ホストコンピュータ３から識別データと連結されたレセプトデータがコンピュータ１へ送り返される。このレセプトデータが、問い合わせた患者のものであるかどうかがコンピュータ１の操作者により確認される（図２の工程Ｓ２）。
【００１９】
その際、レセプトの点数が２０００点以上の、いわゆる高額レセプトであるか否かがホストコンピュータ３で判別され（図２の工程Ｓ３）、高額レセプトである場合には、そのレセプトデータ（以下、高額レセプトデータという）をプリンタ４にてレセプト請求票として出力し（図２の工程Ｓ６）、更にホストコンピュータ３内で患者の１ヶ月分の処方箋の画像データを出力すべく、処方箋の画像データの検索がなされた（図２の工程Ｓ７）後、該当する処方箋の画像データをプリンタ４で出力するよう、ホストコンピュータ３からプリンタ４へ命令がなされる（図２の工程Ｓ８）。即ち、レセプト請求票に添付すべき処方箋のコピーが作成される。
【００２０】
そして、レセプト請求票に添付すべき全ての処方箋の画像データがプリンタ４から出力されたか否かを確認し、出力されていなければ、再度出力するようプリンタ４に命令がなされる。その際、不足している日の処方箋の画像データのみを出力するか、再度その患者の全ての処方箋の画像データを出力するかは、コンピュータ１上で処理させても、操作者が選択できるように構成されていてもよい。
【００２１】
プリンタ４から患者に関する全ての処方箋の画像データが出力されていることが確認されると、コンピュータ１が次の患者のデータを問い合わせることができるようにホストコンピュータ３の準備がなされ（図２の工程Ｓ８）、上述の図２の工程Ｓ２へ戻る。
【００２２】
また、レセプトの点数が２０００点未満、即ち高額レセプトでない場合には、レセプトデータのみをプリンタ４にて出力し（図２の工程Ｓ４）、コンピュータ１が次の患者のデータを問い合わせることができるようにホストコンピュータ３の準備がなされ（図２の工程Ｓ５）、上述の図２の工程Ｓ２へ戻る。
【００２３】
このように、処方箋の画像データと高額レセプトデータとの出力を同じプリンタ４にて連続して行うことができるので、処方箋の画像データを高額レセプトデータに添付して一緒に提出する際にも、混乱を生じることなく容易に且つ正確に行うことができる。
【００２４】
また、レセプトデータと処方箋の画像データとが識別コードで連結されているので、正確にレセプトデータと処方箋の画像データとを人為的に連結する必要が無く、高額レセプトに処方箋のコピーを添付する場合にも、容易に確認することができる。省力化を図ることができる。従って、高額レセプトに処方箋のコピーを添付して提出する作業者の時間を短縮することができると共に、省力化を図ることができる。
【００２５】
上述の実施形態においては、ホストコンピュータ３からの指示に基づいてデータがプリンタ４から出力されたが、プリンタ４をコンピュータ１と接続し、コンピュータ１からホストコンピュータ３にデータを問い合わせ、該データをコンピュータ１からプリンタ４へ出力を指示することも可能である。
【００２６】
上述の実施形態においては、受付番号を人の手で入力したが、予め処方箋に、例えばバーコードシールを貼付しておき、そのバーコードシールをバーコードリーダーにより読み込ませてもよい。その場合、処方箋ファイリングシステムには、バーコードリーダーが設けられ、該バーコードリーダーがコンピュータと接続されていることにより、受付番号が自動的にコンピュータ内にデータとして入力されるものである。このように受付番号の入力にバーコードを用いると、容易に且つ正確に受付番号を入力することができるという利点がある。
【００２７】
また、ホストコンピュータ内の記憶手段として、上記実施形態においてはハードディスクを例としたが、記憶手段としては光磁気ディスク（ＭＯ）等適宜変更可能である。
【００２８】
尚、上述の実施形態においては、処方箋及びレセプトデータ処理システムをホストコンピュータとコンピュータとを含んで構成したが、コンピュータ内にレセプトデータを算出するプログラムを組み込むことにより、処方箋及びレセプトデータ処理システムを１台のコンピュータで構成することも可能である。
【００２９】
さらに、上述の実施形態において、レセプトデータが高額レセプトデータである場合とそうでない場合の出力の変化は、上述の如く、レセプトコンピュータ側で自動的に判別させるよう、予めプログラムされていてもよいし、人の目で確認して行ってもよい。
【００３０】
また、上述の実施形態においては、高額レセプトデータである場合にレセプトデータと処方箋の画像データを同出力装置である１台のプリンタから出力することにより連続して出力したが、図３に示すように、プリンタ４を複数台、例えば２台設け、各プリンタ４，４に筒状体に配設された紙搬送手段としてのコンベヤ７，７と、ソーター８とを設けて、プリンタ毎にレセプトデータ、処方箋の画像データを別々に出力した後、患者毎のレセプトデータと処方箋の画像データがソーター８にて連続して出力されるよう、処方箋及びレセプトデータ処理システムを構成することも可能である。
【００３１】
即ち、各プリンタ４，４の、レセプト請求票や処方箋のコピー等の用紙６が取り出される用紙出口に、レセプトコンベヤ７，７の一端部を接続し、プリンタ４，４から出力された用紙６，６が、紙搬送手段としてのコンベヤ７，７を流れて、コンベヤ７，７の他端部から、用紙の並べ替え手段としてのソーター８に設けられている用紙保持台９，９・・・へと搬送されるようにプリンタ４，４とコンベヤ７，７とソーター８を配置する。
【００３２】
そして、ソーター８は、用紙保持台９，９・・・が上下方向に作動可能に構成されており、それぞれの用紙保持台９に一患者に関するレセプト請求票や処方箋のコピー等の用紙が保持されるように、ソーター８によって用紙が並べ替えられるよう、レセプトコンピュータによってソーター８が作動されるよう、ソーター８とレセプトコンピュータが接続されている。
【００３３】
このように、複数のプリンタを用いて用紙を出力すると、１台のプリンタを用いるよりも出力に要する時間を短縮することができる利点がある。
【００３４】
尚、紙搬送手段は、上述のコンベヤのみならず、例えばローラーが複数個配設された筒状体であってもよい。要は紙を搬送することができるものであれば、どのようなものでもよい。また、用紙の並べ替え手段も、上記ソーターに限定されず、用紙を並べ替えることができるものであれば適宜変更可能である。
【００３５】
尚、処方箋及びレセプトデータ処理システムは、患者毎の処方箋のデータと、該処方箋の画像データとを記憶する記憶手段と、該処方箋のデータからレセプトデータを算出可能な算出手段とを有し、所定時にレセプトデータをレセプト請求票として出力する際、レセプトデータが高額レセプトデータである場合に、前記レセプトデータに該当する処方箋の画像データをレセプトデータと連続して出力可能であるように構成することもできる。このように、レセプトデータが高額レセプトデータである場合に、前記レセプトデータに該当する処方箋の画像データをレセプトデータと同時に出力可能であると、処方箋の画像データと高額レセプトデータとの出力を一度に行うことができる。従って、処方箋の画像データを出力したものを高額レセプトデータを出力したものに容易に且つ正確に添付することができる。
【図面の簡単な説明】
【００３６】
【図１】本発明に係る処方箋及びレセプトデータ処理システムの一実施形態を示す概略説明図。
【図２】レセプトデータの出力手順を示すフローチャート。
【図３】本発明に係る処方箋及びレセプトデータ処理システムの、プリンタの他の実施形態を示す概略説明図。
【符号の説明】
【００３７】
１…コンピュータ、２…スキャナ、３…ホストコンピュータ、４…プリンタ
【図１】
2008287737.tif 000003
【図２】
2008287737.tif 000004
【図３】
2008287737.tif 000005